(57)【要約】【課題】  画像読取装置１に於いて連続的に読み取った複数組の原稿を各々の組の画像データとして格納すること。【解決手段】  読取部(スキャナ部)１３は、フラッドベッド１３ａ、または原稿載置部１３ｂ(１)にセットされた原稿を読み取り、ヘッダ情報取得部３５は、原稿群毎に該原稿群の先頭ページを判別して該先頭ページから文書シートの種別情報を取得し、メモリ４２は、ヘッダ情報取得部３５が先頭ページを判別すると、該先頭ページを含む原稿群の読み取り情報を関連付けて格納する。【選択図】  図３
2009049571.tif 000002
【特許請求の範囲】
【請求項１】
先頭シートと、文書シートとの対からなる原稿を複数対読み込み、前記原稿毎に異なる画像データとして読み込み可能な画像読取装置であって、
前記先頭シートを判別するシート判別部と、
該シート判別部が前記先頭シートを判別すると、該先頭シートから文書シートの種別情報を取得する情報取得部と、
該情報取得部が取得した種別情報に基づいて、前記先頭シートに続く前記文書シートを読み取る読取部とを備えることを特徴とする画像読取装置。
【請求項２】
前記原稿を複数対連続的に読み込み可能な自動原稿給装装置を更に備えることを特徴とする請求項１に記載の画像読取装置。
【請求項３】
前記情報取得部は、
前記取得した種別情報を、対応する設定情報に変換する変換部を更に備えることを特徴とする請求項１に記載の画像読取装置。
【請求項４】
複数の前記原稿からなる原稿群を受け入れて前記先頭シート毎に後に続く文書シートを一括して電子ファイルに編成するファイル生成部を更に備えることを特徴とする請求項１に記載の画像読取装置。
【請求項５】
前記ファイル生成部は、
前記電子ファイル毎に、該当する前記先頭シートが有する所定の情報を前記電子ファイルの先頭に付加する機能を更に有することを特徴とする請求項４に記載の画像読取装置。
【請求項６】
文書シートからなる、複数の原稿群を連続的に読み込み可能な画像読取装置であって、
前記原稿を読み取る読取部と、
前記原稿群毎に該原稿群の先頭ページを判別する判別部と、
該判別部が前記先頭ページを判別すると、該先頭ページを含む前記原稿群の読み取り情報を関連付けて格納する格納制御部とを備えることを特徴とする画像読取装置。
【発明の詳細な説明】
【技術分野】
【０００１】
本発明は、原稿を読み取り、読み取った画像データを格納する画像読取装置に関する。
【背景技術】
【０００２】
従来、原稿を読み取り、読み取った画像データをデータ受信装置へ送信する画像読取装置では、読み取った画像データを送信するときに、自動原稿給送装置に積載された複数の原稿の画像データは１つのファイルとして送信されていた。また自動原稿給送装置に積載された複数原稿を１枚ずつ別ファイルにし、各々のファイルごとに送信する技術も開示されている（特許文献１参照）。
【特許文献１】特開２００３−３３３２６４号公報
【発明の開示】
【発明が解決しようとする課題】
【０００３】
しかしながら、上記開示された前者の技術では、複数組の原稿を読み取り、読み取った画像データをデータ受信装置へ送信するのに各組毎にわけて操作しなければならず非常に手間が掛かかるという解決すべき課題が残されていた。
【課題を解決するための手段】
【０００４】
第一の発明は、先頭シートと、文書シートとの対からなる原稿を複数対読み込み、上記原稿毎に異なる画像データとして読み込み可能な画像読取装置であって、上記先頭シートを判別するシート判別部と、該シート判別部が上記先頭シートを判別すると、該先頭シートから文書シートの種別情報を取得する情報取得部と、該情報取得部が取得した種別情報に基づいて、上記先頭シートに続く上記文書シートを読み取る読取部とを備えることを主要な特徴とする。また、第二の発明は、文書シートからなる、複数の原稿群を連続的に読み込み可能な画像読取装置であって、上記原稿を読み取る読取部と、上記原稿群毎に該原稿群の先頭ページを判別する判別部と、該判別部が上記先頭ページを判別すると、該先頭ページを含む上記原稿群の読み取り情報を関連付けて格納する格納制御部とを備えることを主要な特徴とする。
【発明の効果】
【０００５】
本発明による画像読取装置は、上記のような構成により、複数組の原稿を連続的に読み取り、各々の組に分けてデータを格納するので、読み取った画像データをデータ受信装置へ送信するのに手間が掛からなくなるという効果を得る。
【発明を実施するための最良の形態】
【０００６】
以下、本発明の一実施形態を図を用いて詳細に説明する。
【実施例１】
【０００７】
本実施例による画像読取装置では、フラッドベッドを用いて複数の原稿を文書単位毎に送信するときには、文書単位毎に、その先頭に原稿種別や原稿内容情報を記述したヘッダシートを挿入し、各原稿をヘッダシート（先頭シート）と文書シートとの対として構成する。画像読取装置は、そのヘッダシートを認識し、該ヘッダシートから原稿種別や原稿内容情報を取得し、取得した情報に基づいて、各原稿毎にファイル化すべくその後の処理を実行する。かかる目的を達成するために本実施例による画像読取装置は以下のように構成される。以後の説明に於いて、原稿とは、先頭シートと、内容的にまとまりのある一組の文書シート（１枚または複数枚）との対をいい、原稿群とは、かかる原稿を複数まとめたものをいうこととする。
【０００８】
図１は、画像読取装置の外観図である。
以後の説明に於いて、画像読取装置とは、マルチ・ファンクション・ペリフェラル（ＭＦＰ）と呼ばれる装置であって、スキャナ、複写機、プリンタ、ファクシミリ等の機能を複数有する複合機を指すものとする。尚、この図は、本実施例、及び続いて説明する実施例２で共用するために、以下の説明では実施例２で必要になる構成をも併せて説明する。
【０００９】
図に示すように、画像読取装置１は、読取部（スキャナ）１３と、印刷部（プリンタ）１４とを備える。読取部（スキャナ）１３は、各種入力キー１１ａを有し、ユーザの操作による各種の指示や、文字・数字等のデータの入力を受け付ける操作部１１と、ユーザに対する指示メニューや取得した画像に関する情報等の表示を行うディスプレイ１２とを備え原稿から写真、文字、絵などの画像情報を光電的に読み取って画像信号を生成する部分である。
【００１０】
印刷部（プリンタ）１４は、画像データを受け入れて記録シート上に画像を印刷する部分である。又、印刷部１４の下部には、記録シートを供給する給紙部１８が設けられている。更に中央部には印刷部１４によって画像を印刷された記録シートが排出されるトレイ１９が設けられている。又、画像データ等を記録するためのメモリ４２や、磁気ディスク装置等で構成される電子ファイル記憶部２３が設けられる。
【００１１】
更に、この画像読取装置１は、ネットワークを介して外部機器と画像データ等の送受信を行う通信部（図示しない）を備え、ＬＡＮやインターネット等のネットワーク及び公衆電話回線等の通信網を介したファクシミリデータの受信が可能である。そのシステム形態について説明する。
【００１２】
図２は、画像データ送信システムのシステム構成図である。
図に示すように画像読取装置１には、ＬＡＮやインターネット等のネットワーク及び公衆電話回線等の通信網５を介してデータ受信装置４ａ、４ｂ、４ｃが通信接続されている。
【００１３】
図３は、実施例１及び実施例２の画像読取装置の機能を示すブロック図である。
図に示すように、画像読取装置１は、操作部１１と、ディスプレイ１２と、読取部１３と、印刷部１４と、通信部１６と、電子ファイル記憶部２３と、ＣＰＵ３０と、画像データ生成部３２と、ファイル作成部３４と、ヘッダ情報取得部３５と、メモリ４２とを備えている。
【００１４】
操作部１１はオペレーションパネルであり、各種入力キー１１ａを備え、上記したようにユーザの操作による各種の指示や、文字・数字等のデータの入力を受け付けたり、ユーザに対する指示メニューや取得した画像に関する情報等の表示を行う部分である。各種入力キー１１ａの中で、本実施例で使用するキーとして動作の起動を指示するためのスタートキー１１ｃ、動作の停止を指示する為のストップキー１１ｄ、宛先を指定する為のアドレス帳キー１１ｅ、及びファイル名を変更するためのファイル名変更キー１１ｆがある。
【００１５】
ディスプレイ１２は、ユーザに対する指示メニューや取得した画像に関する情報等の表示を行うＬＣＤである。即ち、ディスプレイ１２はデータ送信の送信先を指定する際に送信先リストの一覧表示を行うと共に、スキャン条件やデータ送信条件などを設定する際の設定画面等を表示する部分である。
【００１６】
読取部１３は、フラッドベッド１３ａと、自動原稿給送装置１３ｂとを有し、上記したように、原稿を読み取る部分である。フラッドベッド１３ａは、読取部１３の下面に載置された原稿を移動式の読み取りセンサで原稿面を走査し、画像信号を取得する部分である。本実施例ではかかる処理を対象としている。自動原稿給送装置１３ｂは、原稿載置部１３ｂ（１）に原稿群が一括して挿入されると、各シートが所定の搬送経路を一枚ずつ搬送され排出部１ｂ（２）から排出する部分である。その経過の中で原稿から固定式の読み取りセンサが画像信号を取得する。かかる処理は、後に説明する実施例２による処理対象である。
【００１７】
印刷部１４は、上記したように、画像データを受け入れて記録シート上に画像を印刷する部分である。即ち、読取部１３により取得された画像データ、通信部１６により外部機器から受信した画像データ、または電子ファイル記憶部２３に格納されている画像データに基づいて記録シート上に画像を印刷出力する部分である。
【００１８】
通信部１６は、その内部にデータ送信部１６ａを有し、通信網５を介してファクシミリデータの送受信を行う他、通信網５に接続された外部機器との間で電子メールなどを用いてデータの送受信を行う部分である。これにより、画像読取装置１は、通常のファクシミリ通信を行うファクシミリ装置としての機能のみならず、電子メールの送受信端末としての機能も有する。従って、電子メールの添付ファイルとして、各種画像データを送受信することもできる。尚、画像読取装置１が行うネットワーク通信は有線又は無線のいずれを採用しても良い。データ送信部１６ａは、画像読取装置１と通信網５とを通信接続するためのネットワークインタフェースである。
【００１９】
電子ファイル記憶部２３は、ファイル作成部３４で作成された電子ファイルや、通信網５を介して受け入れた電子ファイルを格納する磁気ディスク等により構成されている記憶装置である。
【００２０】
ＣＰＵ３０は、メモリ４２に予め格納されているプログラム４２ａを実行することによって、画像データ生成部３２、ファイル作成部３４、ヘッダ情報取得部３５を機能ブロックとして起動・生成すると共に、全構成部分を制御する中央演算処理装置である。
【００２１】
画像データ生成部３２は、読取部１３から画像信号を受け入れて、デジタルデータに変換し、画像データを生成する部分である。ファイル作成部３４は、画像データから電子ファイルを作成する部分である。
【００２２】
ヘッダ情報取得部３５は、その内部に原稿種別毎読取パラメータテーブル３５ａを有し、読取部１３が受け入れたシートの種別を取得する部分である。又、そのシートがヘッダシート（後記）であった場合には、原稿種別毎読取パラメータテーブル３５ａに基づいて、後に続く文書シートの解像度、圧縮率、データフォーマット情報等を取得する部分である。ここで、ヘッダシートと原稿種別毎読取パラメータテーブル３５ａの内容について説明する。
【００２３】
図４は、ヘッダシートのフォーマット説明図である。
図に示すようにヘッダシート６は、ヘッダシート６を識別するための識別マーク６１、原稿種別を示す原稿種別マーク６２、及び原稿の情報として、キーワード、作成日、原稿の内容など、作成する電子ファイルに関する内容を記述する為の原稿内容記述部６３とを含んでいる。
【００２４】
ユーザによって、原稿種別マーク６２に付されたマークによりヘッダシートの後に続く文書シートの種別が特定される。ここでは一例としてカタログ（カラー）として特定されている。原稿内容記述部６３には、ユーザによってキーワード、作成部、内容概要などが記入されている。
【００２５】
図５は、原稿種別毎読取パラメータテーブルの説明図である。
図に示すように、原稿種別毎読取パラメータテーブル３５ａ（図３）には、上記原稿種別マーク６２（図４）に該当するパラメータが各パラメータ毎に予め設定されている。一例として、上記のように原稿種別がカタログ（カラー）として特定されている場合には、パラメータは、解像度３００ｄｐｉ、濃度普通、圧縮率普通、モードＭｉｘｅｄ、カラーＯＮに設定されることになる。
【００２６】
再度図３に戻って、メモリ４２は、その内部にプログラム４２ａを予め格納するメモリである。ＣＰＵ３０がこのプログラム４２ａを実行することによって、画像データ生成部３２、ファイル作成部３４、ヘッダ情報取得部３５を機能ブロックとして起動・生成し、更に全構成部分を制御することになる。
【００２７】
以上説明した実施例１の画像読取装置１は、以下のように動作する。
最初に動作の前提条件について説明する。
図６は、ヘッダシートと文書シートの対の１例説明図である。
図に示すように、１例として種別の異なる文書（１）、文書（２）、及び文書（３）を連続して処理するものとする。ここで文書（１）は同一種別の文書シート７１、７２、７３からなり、文書（２）は同一種別の文書シート７４、７５からなり、文書（３）は同一種別の文書シート７６、７７、７８からなるものとする。かかる場合に本発明では、文書（１）の直前に１枚目のヘッダシート８１を付加して原稿（１）とし、文書（２）の直前に２枚目のヘッダシート８２を付加して原稿（２）とし、文書（３）の直前に３枚目のヘッダシート８３を付加して原稿（３）とし、原稿種別の異なる、原稿（１）、原稿（２）、及び原稿（３）を連続して処理する。尚、ヘッダシート８１、８２、８３には、ユーザにより所定の情報が設定されているものとする。
【００２８】
以下に、その処理についフローチャートを用いて画像読取装置１が読取部１３により原稿をスキャンして画像データを取得し、その取得した画像データを通信網５を介して送信先となるデータ受信装置４ａ、４ｂ、４ｃに送信するスキャン送信に関する機能及び動作について、図１から図６を併用しながら詳細に説明する。
【００２９】
図７は、実施例１の画像読取装置の動作フローチャートである。
本実施例では、原稿群を読取部１３のフラッドベッド１３ａを用いて処理した場合に限定して説明する。自動原稿給送装置１３ｂを用いて処理する場合については本発明の実施例２として後に説明する。
【００３０】
ステップＳ１−１
ユーザは、操作部１１の各種入力キー１１ａより、フラッドベッド１３ａで読み取った原稿を結合してひとつの電子ファイルにする読み取り方法を指定し、フラッドベッド１３ａに図６の１枚目のヘッダシート８１を載せて、スタートキー１１ｃを押すことによりフラッドベッド１３ａは、１枚目のヘッダシート８１のスキャンを開始する。
【００３１】
ステップＳ１−２
ＣＰＵ３０が、ユーザにより指定された宛先情報、ファイル名、スキャン条件や動作モードの設定等を取得した後、ディスプレイ１２に、次の原稿に関して、ヘッダシートか、文書シートか、原稿無し（終了）かの選択を促す表示を行う。
【００３２】
ステップＳ１−３
全ての原稿の読み取りが終了し原稿がないが選択された場合にはステップＳ１−１２へ進み、そうで無い場合にはステップＳ１−４へ進む。
【００３３】
ステップＳ１−４
ヘッダシートが選択されているとステップＳ１−５へ進み、文書シートが選択されているとステップＳ１−１０へ進む。
【００３４】
ステップＳ１−５
ファイル作成部３４は、直前までに実行していたファイル化処理を終了する(前のファイルを閉じて、１つの完成ファイルとして格納する)。
【００３５】
ステップＳ１−６
ヘッダ情報取得部３５は、ユーザにより指定された宛先情報、ファイル名、スキャン条件や動作モード等の設定を取得した後、ヘッダシートの読み取りを開始する。
【００３６】
ステップＳ１−７
ヘッダ情報取得部３５は、ヘッダシートから原稿種別情報（原稿種別マーク６２の位置）を取得し、その情報に基づいて、原稿種別毎読取パラメータテーブル３５ａから、読取部１３で画像読み取り、ファイル作成部３４において画像ファイルを作成する際の読み取りパラメータを取得し、読取部１３で読み取る際の設定値を変更する。例えば、ヘッダシートの情報として、原稿種別マーク６２の位置が“カタログ（カラー）”のところに印が付けられていたとすると、ＣＰＵ３０はヘッダ情報取得部３５の図５の原稿種別毎の読み取りパラメータテーブルを参照し、ＮＯ．１カタログ（カラー）の行から、解像度（３００ｄｐｉ）、濃度（普通）、圧縮率（普通）、モード（Ｍｉｘｅｄ）、カラー（ＯＮ）という情報を取得し、読み取り設定として読取部１３で読み取る際の設定値を変更する。
【００３７】
ステップＳ１−８
ファイル作成部３４は、指定されたファイル名により、ファイルを開き、ステップＳ１−７で設定された読み取りモードに基づき、原稿を読み取り、ファイルに格納する、新規ファイルの処理を開始する。
【００３８】
ステップＳ１−９
ユーザによって、後に続く文書シート、またはヘッダシートがフラッドヘッド１３ａ載置されるとステップＳ１−２へ戻り、ステップＳ１−２からステップＳ１−９までを繰り返し、全ての原稿読み取りが終了するとステップＳ１−３からステップＳ１−１２へ抜ける。
【００３９】
ステップＳ１−１０
文書シートの選択処理に移行し、読取部１３は、文書シートの読取を直近のヘッダシートから得た設定情報に従って、文書シートの読み取りを行う。読み取られた画像信号は、画像データ生成部３２で原稿種別毎読取りパラメータテーブル３５ａから取得した圧縮率等の情報に従ってデジタルデータ（画像データ）に変換された後、ファイル作成部３４へ送られる。
【００４０】
ステップＳ１−１１
ファイル作成部３４は、画像データを受け入れると、所定の処理を行って例えばＰＤＦ（Ｐｏｒｔａｂｌｅ  Ｄｏｃｕｍｅｎｔ  Ｆｏｒｍａｔ）形式等の画像データを前のヘッダシート時に設定されたファイルに追加することにより、画像ファイルを作成してステップＳ１−９へ進む。
【００４１】
ステップＳ１−１２
ファイル化処理を終了してフローを終了する。
【００４２】
図６のように１つの原稿群の中に、１枚目のヘッダシート８１、２枚目のヘッダシート８２、３枚目のヘッダシート８３というようにヘッダシートが複数枚ある場合は、上記一連の処理の中でシートの選択（Ｓ１−２）をヘッダシートの枚数分繰り返すことになる。又、図６のように原稿（１）が終了し、原稿（２）を処理するケースでは、ヘッダシート８２をフラッドベッド１３ａに載せると、再び、次原稿選択画面（Ｓ１−２）でヘッダシートを選択することにより、ひとつ前の原稿のファイル化処理を終了する（Ｓ１−５）ことになる。
【００４３】
次にディスプレイ１２に次の原稿のファイル名入力を促す表示を出し、各種入力キー１１ａにて次の原稿のファイル名を入力し終わるとヘッダシート８２の読取りを行い（Ｓ１１０）、前述と同じ手順で、次の文書シートを読み取る為の設定値が変更される（Ｓ１−７）。ユーザは次の文書シートをフラッドベッド１３ａに乗せて、前述の次原稿選択画面（Ｓ１−２）で、文書シートを選択することにより、次の原稿（２）が別の画像ファイルとして作成されていく（Ｓ１−１１）。読み取り枚数に応じて電子ファイル記憶部２３に画像データが蓄積されていくことになる。
【００４４】
原稿群の読取が終わった場合は、前述の次原稿選択画面（Ｓ１−２）で、原稿無し（終了）を選択し、ファイル化処理が終了される（Ｓ１−１２）。上記図６の例の場合は、３組の原稿の性質の違う読取が必要な読取処理を一回の操作で行ったことになる。上記のようにして生成されるファイルは、通信部１６の送信機能（送信手段）を構成するデータ送信部１６ａを介して通信網５に送出される。このとき個々のファイルは操作部１１よりユーザから指定されたそれぞれの送信先に送信される。また、データ送信部１６は通信網を介して他のデータ受信装置に送信用ファイルを送信しても良い。
【００４５】
以上、説明したように、実施例１に記載の発明によれば、原稿群をフラッドベッドで１枚ずつ読み取り画像ファイルとして送信する場合において、原稿群における文書単位（原稿対）の先頭で、原稿種別や原稿内容情報を記述したヘッダシート６から読み取り設定情報を取得し、取得した設定情報に基づき、文書シートを読み取り電子ファイル化するように構成されている。その結果、これまで、１つの文書のファイル送信を終えてから、新たに次の文書のファイルの読み取りの操作を行う必要が無くなるので使い勝手が良くなるという効果を得る。
【実施例２】
【００４６】
上記実施例１では、読取部１３のフラッドベッド１３ａを用いた場合に限定して説明した。本実施例では、フラッドベッド１３ａに替えて、自動原稿給送装置１３ｂを用いた場合について説明する。本実施例による画像読取装置は、実施例１と同様なので、その構成に関する説明を省略し、以下に動作のみについて説明する。
【００４７】
図８は、実施例２の画像読取装置の動作フローチャートである。
このフローチャートは、図１〜図５までに記載の画像読取装置１に於いて自動原稿給送装置１３ｂを用いて処理する場合について説明する。
【００４８】
ステップＳ２−１
ユーザは、１例として図６で表す複数の原稿からなる原稿群を原稿載置部１３ｂ（１）に一括挿入し、操作部１１の各種入力キー１１ａより、操作部１１よりスキャン開始を指示する。
【００４９】
ステップＳ２−２
ＣＰＵ３０が、ユーザにより各々の原稿対に対して指定された宛先情報、ファイル名、スキャン条件や動作モードの設定等を格納した後、自動原稿給送装置１３ｂと、読取部１３の図示しない読み取り機構とを同期させて動作させ、読取部１３において自動原稿給送装置１３ｂからの原稿を一枚ずつ自動的に読み取っていくように制御する。
【００５０】
ステップＳ２−３
ＣＰＵ３０はヘッダ情報取得部３５を機能させ、読み取った画像がヘッダシートか否かの判別を行い、ヘッダシートの場合にはステップＳ２−４へ進み、そうでない場合にはステップＳ２−１２へ進む。ヘッダシートの判定は、図４に示す文書の先頭に所定のマークがあるか否かにより行う。
【００５１】
ステップＳ２−４
ヘッダ情報取得部３５が原稿をヘッダシートと判別した場合は、ＣＰＵ３０は、先行原稿のファイル化処理中か否かの確認をファイル作成部３４に対して行い、処理中の場合にはステップＳ２−１０へ進み、処理中でない場合にはステップＳ２−５へ進む。
【００５２】
ステップＳ２−５
ファイル作成部３４は、ユーザにより指定したファイル名によりファイルを開き、新規にファイル化処理を開始する。
【００５３】
ステップＳ２−６
ヘッダ情報取得部３５は、ヘッダシートから原稿種別情報（原稿種別マーク６２の位置）を取得し、その情報に基づいて、原稿種別毎読取パラメータテーブル３５ａから、読取部１３で画像を読み取り、ファイル作成部３４において画像ファイルを作成する際のパラメータを取得し、読取部１３で読み取る際の設定値を変更する。例えば、ヘッダシートの情報として、原稿種別マーク６２の位置が“カタログ（カラー）”のところに印が付けられていたとすると、ＣＰＵ３０はヘッダ情報取得部３５の図５の原稿種別毎の読み取りパラメータテーブルを参照し、ＮＯ．１カタログ（カラー）の行から、解像度（３００ｄｐｉ）、濃度（普通）、圧縮率（普通）、モード（Ｍｉｘｅｄ）、カラー（ＯＮ）という情報を取得し、読み取り設定として読取部１３で読み取る際の設定値を変更する。
【００５４】
ステップＳ２−７
文書シートの選択処理に移行し、読取部１３は、文書シートの読取を直近のヘッダシートから得た設定情報に従って、文書シートの読み取りを行う。読み取られた画像信号は、画像データ生成部３２で原稿種別毎読取パラメータテーブル３５ａから取得した圧縮率等の情報に従ってデジタルデータ（画像データ）に変換された後、ファイル作成部３４へ送られる。
【００５５】
ステップＳ２−８
ファイル作成部３４は、画像データを受け入れると、所定の処理を行って例えばＰＤＦ（Ｐｏｒｔａｂｌｅ  Ｄｏｃｕｍｅｎｔ  Ｆｏｒｍａｔ）形式等の画像データを前のヘッダシート時に設定されたファイルに追加することにより画像ファイルを作成する。
【００５６】
ステップＳ２−９
全ての原稿の読み取りが終了し原稿がない場合にはステップＳ１−３３へ進み、そうでない場合にはステップＳ２−２へ戻りステップＳ２−２からステップＳ２−９までを繰り返し、全ての原稿読み取りが終了するとステップＳ２−９からステップＳ２−１３へ抜ける。
【００５７】
ステップＳ２−１０
ファイル作成部３４における先行原稿のファイル化処理を終了する(前のファイルを閉じて、１つの完成ファイルとして格納する)。
【００５８】
ステップＳ２−１１
ファイル作成部３４は、ユーザにより指定したファイル名によりファイルを開き、次のファイル化処理を開始してステップＳ２−６へ進む。
【００５９】
ステップＳ２−１２
ヘッダ情報取得部３５がヘッダシートでないと判別したのでファイル作成部３４は、通常のファイル処理を実施してステップＳ２−７へ進む。
【００６０】
ステップＳ２−１３
ファイル化処理を終了してフローを終了する(前のファイルを閉じて、１つの完成ファイルとして格納する)。
【００６１】
上記のようにして生成されるファイルは、通信部１６の送信機能を構成するデータ送信部１６ａを介して、通信網５へ送出される。このときＣＰＵ３０は、操作部１１によりユーザが指定した送信先をデータ送信部１６ａに与える。データ送信部１６ａは、データ受信装置４ａ、４ｂ、４ｃの内、指示された送信先へ電子ファイルを送信する。又、データ送信部１６ａは、通信網５を介して他の外部機器へ送信ファイルを送信しても良い。
【００６２】
以上説明したように、本実施例によれば、自動原稿給送装置により連続的に給送される複数の原稿の先頭に挿入されるヘッダシートから読み取り設定情報を取得し、取得した設定情報に基づいて文書シートを読み取り、電子ファイル化することが出きるようになる。その結果、原稿群を自動的に原稿毎の適切な設定に基づいて読み取り、複数のファイルに分割することができるのでユーザによるファイル管理がより一層容易になるという効果を得る。
【実施例３】
【００６３】
図９は、実施例３の画像読取装置の機能を示すブロック図である。
図に示すように、画像読取装置５０は、操作部５１と、ディスプレイ１２と、読取部１３と、印刷部１４と、通信部１６と、電子ファイル記憶部２３と、ＣＰＵ５５と、画像データ生成部３２と、ファイル作成部５４と、ヘッダ情報取得部３５と、メモリ５２とを備えている。以下に実施例１または実施例２と異なる部分のみについて詳細に説明する。実施例１または実施例２と同様の部分については実施例１または実施例２と同一の符号を付してその内容説明を省略する。
【００６４】
操作部５１はオペレーションパネルであり、各種入力キー１１ａを備え、上記したようにユーザの操作による各種の指示や、文字・数字等のデータの入力を受け付けたり、ユーザに対する指示メニューや取得した画像に関する情報等の表示を行う部分である。各種入力キー１１ａの中で、本実施例で使用するキーとして動作の起動を指示するためのスタートキー１１ｃ、動作の停止を指示する為のストップキー１１ｄ、宛先を指定する為のアドレス帳キー１１ｅ、及びファイル名を変更するためのファイル名変更キー１１ｆがある。更に、ユーザが読み取ったヘッダシートを電子ファイルの先頭に付加することを指示可能なヘッダシート付加キーを有する。
【００６５】
メモリ５２は、その内部にプログラム５２ｂを予め格納し、且つヘッダシート設定エリア５２ａを有するメモリである。ＣＰＵ５５がこのプログラム５２ｂを実行することによって、画像データ生成部３２、ファイル作成部５４、ヘッダ情報取得部３５を機能ブロックとして起動・生成すると共に、全構成部分を制御することになる。ヘッダシート設定エリア５２ａは、ユーザによる、ヘッダシートを電子ファイルの先頭に付加することの指示を保持するメモリ領域である。
【００６６】
ＣＰＵ５５は、メモリ５２に予め格納されているプログラム５２ｂを実行することによって、画像データ生成部３２、ファイル作成部５４、ヘッダ情報取得部３５を機能ブロックとして起動・生成すると共に、全構成部分を制御する中央演算処理装置である。
【００６７】
以上説明した実施例３の画像読取装置５０は、以下のように動作する。
図１０は、実施例３の画像読取装置の動作フローチャートである。
この図は、ユーザが読み取ったヘッダシートを電子ファイルの先頭に付加することを指示する場合の動作を説明するフローチャートである。以下に図９を併用しながらその詳細な動作について説明する。
【００６８】
ステップＳ３−１
ユーザは、１例として図６で表す複数の原稿からなる原稿群を原稿載置部１３ｂ（１）に一括挿入し、作成する原稿の電子ファイルの先頭に、読み取ったヘッダシートデータを付加するためにヘッダシート付加キー５１ａを押下した後、各種入力キー１１ａより、操作部５１よりスキャン開始を指示する。
【００６９】
ステップＳ３−２
ＣＰＵ５５は、ヘッダシート設定エリア５２ａの設定値を、ヘッダ付加を意味する値（例えばＯＮ）に変更する。
【００７０】
ステップＳ３−３
ＣＰＵ５５が、ユーザにより各々の原稿対に対して指定された宛先情報、ファイル名、スキャン条件や動作モードの設定等を格納した後、自動原稿給送装置１３ｂと、読取部１３の図示しない読み取り機構とを同期させて動作させ、読取部１３において自動原稿給送装置１３ｂからの原稿を一枚ずつ自動的に読み取っていくように制御する。
【００７１】
ステップＳ３−４
ＣＰＵ５５はヘッダ情報取得部３５を機能させ、読み取った画像がヘッダシートか否かの判別を行い、ヘッダシートの場合にはステップＳ３−５へ進み、そうでない場合にはステップＳ３−１５へ進む。
【００７２】
ステップＳ３−５
ヘッダ情報取得部３５が原稿をヘッダシートと判別した場合は、ＣＰＵ５５は、先行原稿のファイル化処理中か否かの確認をファイル作成部５４に対して行い、処理中の場合にはステップＳ３−１３へ進み、処理中でない場合にはステップＳ３−６へ進む。
【００７３】
ステップＳ３−６
ファイル作成部５４は、ユーザにより指定したファイル名によりファイルを開き、新規にファイル化処理を開始する。
【００７４】
ステップＳ３−７
ＣＰＵ５５は、ヘッダシート設定エリア５２ａを検索し、電子ファイルの先頭にヘッダシートデータを付加する設定値になっているか否かを確認し、付加する設定のときは、ステップＳ３−８へ進み、そうでないときはステップＳ３−９へ進む。
【００７５】
ステップＳ３−８
ファイル作成部５４は、原稿対毎のファイルの先頭に読み取ったヘッダシートデータを付加する。
【００７６】
ステップＳ３−９
ヘッダ情報取得部３５は、ヘッダシートから原稿種別情報（原稿種別マーク６２の位置）を取得し、その情報に基づいて、原稿種別毎読取パラメータテーブル３５ａから、読取部１３で画像を読み取り、ファイル作成部５４において画像ファイルを作成する際のパラメータを取得し、読取部１３で読み取る際の設定値を変更する。例えば、ヘッダシートの情報として、原稿種別マーク６２の位置が“カタログ（カラー）”のところに印が付けられていたとすると、ＣＰＵ５５はヘッダ情報取得部３５の図５の原稿種別毎の読み取りパラメータテーブルを参照し、ＮＯ．１カタログ（カラー）の行から、解像度（３００ｄｐｉ）、濃度（普通）、圧縮率（普通）、モード（Ｍｉｘｅｄ）、カラー（ＯＮ）という情報を取得し、読み取り設定として読取部１３で読み取る際の設定値を変更する。
【００７７】
ステップＳ３−１０
文書シートの選択処理に移行し、読取部１３は、文書シートの読取を直近のヘッダシートから得た設定情報に従って、文書シートの読み取りを行う。読み取られた画像信号は、画像データ生成部３２で原稿種別毎読取パラメータテーブル３５ａから取得した圧縮率等の情報に従ってデジタルデータ（画像データ）に変換された後、ファイル作成部５４へ送られる。
【００７８】
ステップＳ３−１１
ファイル作成部５４は、画像データを受け入れると、所定の処理を行って例えばＰＤＦ（Ｐｏｒｔａｂｌｅ  Ｄｏｃｕｍｅｎｔ  Ｆｏｒｍａｔ）形式等の画像データを前のヘッダシート時に設定されたファイルに追加することにより、画像ファイルを作成する。
【００７９】
ステップＳ３−１２
全ての原稿の読み取りが終了し原稿がない場合にはステップＳ３−１６へ進み、そうでない場合にはステップＳ３−３へ戻りステップＳ３−３からステップＳ３−１２までを繰り返し、全ての原稿読み取りが終了するとステップＳ３−１２からステップＳ３−１６へ抜ける。
【００８０】
ステップＳ３−１３
ファイル作成部５４における先行原稿のファイル化処理を終了する(前のファイルを閉じて、１つの完成ファイルとして格納する)。
【００８１】
ステップＳ３−１４
ファイル作成部５４は、ユーザにより指定したファイル名によりファイルを開き、次のファイル化処理を開始してステップＳ３−７へ進む。
【００８２】
ステップＳ３−１５
ヘッダ情報取得部３５がヘッダシートでないと判別したのでファイル作成部５４は、通常のファイル処理を実施してステップＳ３−１０へ進む。
【００８３】
以上説明したように、本実施例によれば、自動原稿給送装置により連続的に給送される複数の原稿対毎にそのファイルの先頭にヘッダシートデータが付加されるので、電子ファイルの先頭ページを見るだけで、その後に続く文書ファイルの種別を確認可能になる。その結果ユーザによるファイル管理がしやすくなるという効果を得る。
【００８４】
以下に本発明の拡張例について説明する。
上記実施例１から実施例３では図６に示すように、文書シート７１、７２、７３からなる文書（１）と、文書シート７４、７５からなる文書（２）と、文書シート７６、７７、７８からなる文書（３）とを原稿群として一括処理する場合には、各々の文書毎にその先頭にヘッダシートを挿入していた。本拡張例では、ヘッダシートを挿入しないで処理することとする。以下にその内容について詳細に説明する。
【００８５】
図１１は、本発明の拡張例の説明図である。
図に示すように、本拡張例では、各文書の先頭の文書シート（ここでは文書シート７１、７４、７６）の上部（１例として図４の識別マーク６１が配置されている位置）に、ヘッダ識別マーク（図では１例として星印）を付加する。判別部（上記実施例におけるヘッダ情報取得部３５が該当する）が、文書シートの所定の位置に所定のマークを認識することにより、各原稿の区切り(ヘッダ)を認識することができ、上記実施例１または実施例２と同様の効果を得る。
【００８６】
また、更なる拡張例として、文書シート７１、７２、７３からなる文書（１）と、文書シート７４、７５からなる文書（２）と、文書シート７６、７７、７８からなる文書（３）とを原稿群として一括処理する場合に於いて、プリンタメニューに文書シート毎順番と枚数を指定し、読取部（上記実施例における読取部１３が該当する）が、そのプリンタメニューに基づいて文書（１）、文書（２）、文書（３）の切替りを認識するようにしても良い。
【産業上の利用可能性】
【００８７】
本発明は、複写機、ファクシミリ装置、及びスキャナ装置等のように読み取った原稿を電子ファイルとして格納する画像読取装置に関しても適用できる。
【図面の簡単な説明】
【００８８】
【図１】画像読取装置の外観図である。
【図２】画像データ送信システムのシステム構成図である。
【図３】実施例１及び実施例２の画像読取装置の機能を示すブロック図である。
【図４】ヘッダシートのフォーマット説明図である。
【図５】原稿種別毎読取パラメータテーブルの説明図である。
【図６】ヘッダシートと文書シートの対の１例説明図である。
【図７】実施例１の画像読取装置の動作フローチャートである。
【図８】実施例２の画像読取装置の動作フローチャートである。
【図９】実施例３の画像読取装置の機能を示すブロック図である。
【図１０】実施例３の画像読取装置の動作フローチャートである。
【図１１】本発明の拡張例の説明図である。
【符号の説明】
【００８９】
１    画像読取装置
５    通信網
１１    操作部
１１ａ    各種入力キー
１１ｃ    スタートキー
１１ｄ    ストップキー
１１ｅ    アドレス帳キー
１１ｆ    ファイル名変更キー
１２    ディスプレイ
１３    読取部
１３ａ    フラッドベッド
１３ｂ    自動原稿給送装置
１３ｂ（１）    原稿載置部
１３ｂ（２）    排出部
１４    印刷部
１６    通信部
１６ａ    データ送信部
２３    電子ファイル記憶部
３０    ＣＰＵ
３２    画像データ生成部
３４    ファイル作成部
３５    ヘッダ情報取得部
３５ａ    原稿種別毎読取パラメータテーブル
４２    メモリ
４２ａ    プログラム
【図１】
2009049571.tif 000003
【図２】
2009049571.tif 000004
【図３】
2009049571.tif 000005
【図４】
2009049571.tif 000006
【図５】
2009049571.tif 000007
【図６】
2009049571.tif 000008
【図７】
2009049571.tif 000009
【図８】
2009049571.tif 000010
【図９】
2009049571.tif 000011
【図１０】
2009049571.tif 000012
【図１１】
2009049571.tif 000013